(57)【要約】【課題】  本発明は、簡単な構成により、従来の投光機の持つ光の指向性を損なうことなく、通行者に眩しさを感じさせない投光機を提供することを課題とする。【解決手段】  ランプガード１の前面ガラス３に防眩シート体４を貼り付けることによりランプ（光源）２からの直接光８を拡散、低減させることにより和らげる調光型防眩器具を搭載する投光機。【選択図】  図３
2006019232.tif 000002
【特許請求の範囲】
【請求項１】
照明器具のランプガードの前部に透明な前面ガラスを装備した投光機において、該前面ガラスの外面側若しくは内面側に耐熱、耐候性を有する防眩シート体を接着糊を塗布して張り付けたことを特徴とする調光型防眩投光器具。
【請求項２】
防眩シート体の糊部分に保護用の裏シート体を貼り付けた形態に構成し、投光器具の使用時に現場作業の状況に合わせて所望形態にカットした後、裏シート体を剥がし前面ガラスに重ね張りをして調光可能にし得ることを特徴とする請求項１記載の調光型防眩投光器具。
【請求項３】
防眩シート体を予め前面ガラスの形態を考慮した所望形状の分割シート体に形成し、該分割シート体に裏シート体を貼り付けた態様にて部品供給することを特徴とする請求項１若しくは請求項２記載の調光型防眩投光器具。
【請求項４】
防眩シート体を予め、部分貼り付け、部分カット、部分印刷等の加工をした形態に加工して供給し、現場作業の状況に合わせて所望の照度に調整して調光することを特徴とする請求項１若しくは請求項２、３記載の調光型防眩投光器具。
【発明の詳細な説明】
【技術分野】
【０００１】  本発明は、夜間作業等で照明として使用される投光器に係り、主に道路工事等の照明として有効なライトからの光（投光）を和らげる調光防眩投光器具に関する。
【背景技術】
【０００２】  従来から、夜間工事現場等では図７に示すようなリフレクタ（反射板）を有するランプガード１、ランプ（光源）２、前面ガラス３を有する投光機が用いられてきたが、道路工事においては、この型の投光機では、ランプ（光源）よりの光線が直接的に照射されるとともにリフレクタ（反射板）で反射された光線が、リフレクタ（反射板）の照射範囲内で集中的に照射されるため、この光線は眩しく、走行中の車両の運転者の目に入ると一瞬目が見えなくなる恐れがあり、運転に支障をきたす事が考えられる。  現在国土交通省などは、特許文献１、特許文献２に示されるような防眩型のバルーン式投光器の使用を推奨しているが、投光器本体が高価であり、取り扱いが困難で強風時に使用ができないという問題がある。
【特許文献１】特開２００３−１５１３３９号公報
【特許文献２】特開２００３−３６７０９号公報
【０００３】  これら現状の投光機は、照度の調整が出来ない。後付け型の防眩投光機だと強風時に使用が出来ない。バルーンの布が排気ガスで変色して透過照度が低下する、などのトラブルがある。そのためこれらの問題を解消した投光機の開発が望まれていた。
【発明の開示】
【発明が解決しようとする課題】
【０００４】  現在は、特許文献１、特許文献２に示されるようなバルーン式投光機等が導入されつつあるが、工事現場で使用される投光機の稼働率を考慮すると投資効果が期待できない状況である。また、バルーン式投光機は光の指向性が無い為夜間工事において工事現場近くの住民より明るくて眠れないなどの苦情が出る恐れがある。新規にバルーン式投光機等を導入した場合には既存機種が使用可能な状態にもかかわらず、遊休化しているという問題がある。【０００５】  本発明が前述の状況に鑑み、解決しようとするところは、既存保有の投光機を巧みに活用して、構成が簡単でありながら工事現場にても調光対応が可能にできるように考慮して、防眩性に優れた投光機を提供する点にある。
【課題を解決するための手段】
【０００６】  本発明は、前述の課題解決のために、投光器のランプガード内部及び外部に防眩シートを貼り付けるという特殊加工を施すことにより、光の指向性を有するという特徴を残したまま、ランプ（光源）からの直接光を拡散、低減し防眩効果を得ることができる。又、防眩シートの貼り付け施工時に付属防眩材を重ね張りし、部分的にカットすることで現場に合わせた光の調整ができ、場合によっては防眩シートを剥離することによって普通の投光機に戻すこともできる。さらにこの投光器は防眩材を分割することにより、後付加工をし易くしてある。【０００７】  本発明はこれらの効果を奏するために、第一に、照明器具のランプガードの前部に透明な前面ガラスを装備した投光機において、該前面ガラスの外面側若しくは内面側に耐熱、耐候性を有する防眩シート体を接着糊を塗布して張り付けたことを特徴とし、光の指向性と防眩性を兼ね備えた投光機を提供するものである。【０００８】  第二に、防眩シート体の糊部分に保護用の裏シート体を貼り付けた形態に構成し、投光器具の使用時に現場作業の状況に合わせて所望形態にカットした後、裏シート体を剥がし前面ガラスに重ね張りをして調光可能にし得ることを特徴とし、現場作業の要求に応じて、現場において防眩性を付与することを可能とする。【０００９】  第三に、防眩シート体を予め前面ガラスの形態を考慮した所望形状の分割シート体に形成し、該分割シート体に裏シート体を貼り付けた態様にて部品供給することを特徴とし、加工に要する作業時間を短縮できる。【０００９】  第四に、防眩シート体を予め、部分貼り付け、部分カット、部分印刷等の加工をした形態に加工して供給し、現場作業の状況に合わせて所望の照度に調整して調光することを特徴とし、現場状況の変化に応じた照明を提供することを可能とする。
【発明の効果】
【００１１】  請求項１の発明によれば、前面ガラス部の防眩シート体にて反射板及び光源からの直接光を拡散させることにより、構成が簡単でありながら光の指向性に問題を与えることなく防眩性を備えた投光機を提供する点にある。【００１２】  請求項２の発明によれば、既存の投光機を活用して、指向性と防眩性を兼ね備えた投光機を提供できる点にある。【００１３】  請求項３の発明によれば、現場の要望に応じて短時間の現場作業にて指向性と防眩性を兼ね備えた投光機を提供できる点にある。【００１４】  請求項４の発明によれば、現場の状況変化に対応して、照度、照明範囲を調整することが可能な点にある。
【発明を実施するための最良の形態】
【００１５】  以下、本発明の実施形態を図面に基づいて説明する。図１〜図６に示すものは本発明に係る調光型防眩投光器具の構成を示すもので、リフレクタ（反射板）を有するランプガード１の前面ガラス３に防眩シート体４が貼り付けられるものとされ、ランプ（光源）２からの直接光８もしくはリフレクタ（反射板）に反射した直接光８は防眩シート体４を透過する際に拡散、減衰し、透過光７となり、通行者への眩しさを低減するものとする。【００１６】  前面ガラス３に貼り付けられる防眩シート体４は図４に示すように裏部に接着糊９が塗布され、その上に保護用の裏シート体を貼り付けたものとされ、貼付作業を容易にするものとする。【００１７】  また、図５に示すように前面ガラスの形状に合わせ、あらかじめカットした状態で提供することで貼付作業が短縮され得るようにする、この際、シート体を分割し、無シート部５及び重ね代６を設けることにより貼付作業を容易にするものとする。
【実施例１】
【００１８】  従って、道路工事現場等において、この防眩型投光機を使用した場合、通行者が投光機を直視しても、ランプ（光源）２及びリフレクタ（反射板）からの光を直接見ることはなく、通行者に眩しさを感じさせない。【００１９】  また、従来の投光機同様、光の照射はランプガード前面方向へ限られるため、光の照射範囲を限定することが容易であり、意図しない箇所への光の照射を避けることができる。【００２０】  現場にて防眩シート体６の貼り付け作業が必要となった場合、あらかじめカットされ、接着糊が塗布されたシート体を用いることにより作業時間を短縮できる。【００２１】  この防眩型投光機を使用することにより、防眩型バルーン式投光機と同様の効果を得、工事現場の夜間作業においての交通事故、作業員の疲労等が低減できる。【００２２】  かつ光の指向性が有る為近所からの苦情等の削減が出来、レンタル会社等に遊休機械として眠っている投光機の有効利用が出来る。【００２３】  現在、本特許出願人が保有している投光機に本発明に係る防眩投光器具を取り付けて使用している。工事現場においてこの投光機を使用している作業員・運転手に意見を求めると、工事現場近くの住民からの苦情もなく、また通行する車の運転者からはバルーンライトより眩しくなくて運転がし易くなったと感想があった。また、本特許出願人の修理部門・運転者からも、明るさが今まで使用している投光機に比して遜色なく眩しさが低減できているという報告があった。これらの事から、方向性のある投光機に防眩投光器具を取り付けるという事で防眩効果がある事が実証されているものである。
【産業上の利用可能性】
【００２４】  本発明の技術は、一般道路に於けるトンネル内及び石油スタンド、街頭用照明器具等に応用できる可能性が期待できる。また、本発明は、本発明の技術思想の範囲内で種々に応用、変更することは可能なものであり、これらの使用形態は本発明実施形態のものに限定されるものではない。
【図面の簡単な説明】
【００２５】
【図１】調光型防眩器具を搭載する投光機の全体図である。
【図２】調光型防眩器具を搭載する投光機を示す正面図である。
【図３】調光型防眩器具を搭載する投光機を示す断面図である。
【図４】防眩シート体を示す説明図。
【図５】カット状態の防眩シート体を示す説明図。
【図６】防眩シート体の貼り付け作業を示す説明図。
【図７】従来の投光機を示す断面図である。
【符号の説明】
【００２６】１  ランプガード
２  ランプ（光源）
３  前面ガラス
４  防眩シート体
５  無シート部
６  重ね代
７  透過光
８  直接光
９  接着糊
１０  裏シート体
【図１】
2006019232.tif 000003
【図２】
2006019232.tif 000004
【図３】
2006019232.tif 000005
【図４】
2006019232.tif 000006
【図５】
2006019232.tif 000007
【図６】
2006019232.tif 000008
【図７】
2006019232.tif 000009